(57)【要約】      （修正有）【課題】送信側移動通信端末機の電話番号だけでなく、多様な送信者情報を提供する。【解決手段】送信側移動通信端末機の電話番号に対応するフォルダを設定することにより、フォルダに保存されるサウンドファイルをランダムに選択再生したり、イメージファイルをランダムに又は順番にディスプレイに再生表示する。【選択図】図１
2007129692.tif 000002
【特許請求の範囲】
【請求項１】
送信側移動通信端末機から通信が受信されたか否かを確認する段階と、
前記送信側移動通信端末機の電話番号に関連する複数の種類のデータコンテンツを含むフォルダ又は他の保存領域を検索する段階と、
検索された前記フォルダ又は他の保存領域に保存された少なくとも１つのコンテンツを出力する段階と、
を含むことを特徴とする移動通信端末機の情報管理方法。
【請求項２】
前記通信は、受信呼又は他の種類のデータ転送であることを特徴とする請求項１に記載の移動通信端末機の情報管理方法。
【請求項３】
前記フォルダは、イメージファイル、ビデオファイル、サウンドファイル、メッセージのうちの少なくとも１つを保存することを特徴とする請求項２に記載の移動通信端末機の情報管理方法。
【請求項４】
前記出力する段階は、マルチメディアデータを順番に又はランダムに提供する段階を含むことを特徴とする請求項３に記載の移動通信端末機の情報管理方法。
【請求項５】
ユーザの選択によってフォルダに保存されたいずれか１つのコンテンツを出力する移動通信端末機の情報管理方法であって、
通話機能がアクティブ化されたか否かを判断する段階と、
複数の種類のデータコンテンツが電話番号に関連付けられて保存されたフォルダに対応する電話番号を検索する段階と、
前記検索された電話番号に該当する受信側移動通信端末機に呼を送信すると共に、前記検索された電話番号に関連する複数の種類のコンテンツを出力する段階と、
を含むことを特徴とする移動通信端末機の情報管理方法。
【請求項６】
前記フォルダは、イメージファイル、サウンドファイル及びメッセージのうちの少なくとも１つに関する１つ以上のコンテンツを含むことを特徴とする請求項５に記載の移動通信端末機の情報管理方法。
【請求項７】
信号を送受信する送受信器と、
ユーザに出力を提供する出力部と、
データを保存するメモリと、
前記送受信器、前記出力部及び前記メモリと連動し、前記送受信器を介して送信者から受信した通信若しくは呼、又は、前記送受信器を介して少なくとも一人の受信者に送信する通信若しくは呼を、前記メモリに予め保存された前記送信者又は前記受信者に関するデータ項目と関連付け、その送信者又は受信者と関連付けられた複数のデータ項目を、前記出力部を介してユーザに出力するプロセッサと、
を含んで構成されることを特徴とする移動通信端末機。
【請求項８】
前記関連付けは、前記データ項目を電話番号又は前記受信した通信若しくは前記送信する通信を特定する他のインジケータにマッピングし、該マッピングにより前記データ項目と前記受信した通信又は前記送信した通信との間の関係を形成することによって行われることを特徴とする請求項７に記載の移動通信端末機。
【請求項９】
前記受信した通信又は前記送信する通信は、音声、テキスト、イメージ及びマルチメディアデータのうちの少なくとも１つの転送を含むことを特徴とする請求項８に記載の移動通信端末機。
【請求項１０】
前記出力部は、視覚的出力、聴覚的出力及び触覚的出力の少なくとも１つを提供することを特徴とする請求項８に記載の移動通信端末機。
【請求項１１】
前記データ項目はメモリ内の１つ以上のフォルダ又は他の保存場所にまとめられて保存され、各フォルダは１つ以上のサブフォルダ又は他の保存場所を含むことを特徴とする請求項８に記載の移動通信端末機。
【請求項１２】
前記出力部は、ユーザインタフェースを提供し、
前記ユーザインタフェースは、少なくとも第１表示領域及び第２表示領域に同時に情報を表示する画面を含み、前記第１表示領域は連絡先リストに保存された１つ以上の項目を表示し、前記第２表示領域は前記連絡先リストの特定項目にリンクされた１つ以上のデジタルファイルを表示することを特徴とする請求項７に記載の移動通信端末機。
【請求項１３】
それぞれの専用記憶場所を有する一人又は複数人のための複数のデジタルファイルを保存する段階と、
前記保存されたデジタルファイルをそれぞれ対応する連絡先リストに予め保存された人にリンクさせる段階と、
特定の人に関してリンクされたデジタルファイルを取得する段階と、
を含むことを特徴とする移動通信端末機の情報管理方法。
【請求項２０】
前記呼接続は、音声、テキスト、イメージ又はマルチメディアデータの転送を含むことを特徴とする請求項１９に記載の移動通信端末機の情報管理方法。
【発明の詳細な説明】
【技術分野】
【０００１】
本発明は移動通信端末機に関し、特に、ユーザの利便性を向上できる移動通信端末機の情報管理方法に関する。
【背景技術】
【０００２】
一般に、移動通信端末機は、基地局により形成されるサービスエリア内で移動しながら、ＭＳＣ（Mobile Switching Center）のスイッチング制御により、いつでもどこでも直ちに相手を無線呼出及び無線接続して通信できる装置であって、音声通信だけでなく、記号、数字、テキストなどが含まれるデータ通信、及び画像信号が含まれるマルチメディア通信が可能である。特に、大型ディスプレイ装置と動画像撮影が可能なカメラとを装着した移動通信端末機の開発が活発に行われている。
【０００３】
前記移動通信端末機には、通信機能の他に、実生活に応用されて利便性を向上させ、通信の活用性を向上させる多様な付加サービスが開発されて提供されているが、端末機メーカから提供される、送信側移動通信端末機の電話番号を表示する機能の付加サービスがユーザに人気がある。
【０００４】
以下、このような送信側移動通信端末機の電話番号だけでなく、多様な送信者情報を提供する方法を簡単に説明する。
【０００５】
まず、受信側移動通信端末機は、送信側移動通信端末機の電話番号に一対一で対応する１つの特定コンテンツ、例えば、サウンドファイルやイメージファイルなどを設定する。
【０００６】
その後、受信側移動通信端末機は、送信側移動通信端末機から呼を受信すると、該送信側移動通信端末機の電話番号に対応するコンテンツを検索し、この検索したコンテンツを出力する。すなわち、受信側移動通信端末機サウンドファイルが検出された場合には、検出されたサウンドファイルを再生し、イメージファイルが検出された場合には、検出されたイメージファイルを表示する。
【発明の開示】
【発明が解決しようとする課題】
【０００７】
しかし、従来の移動通信端末機においては、送信側移動通信端末機の電話番号に対応する特定コンテンツを予め設定しなければならないという問題がある。すなわち、送信側移動通信端末機の電話番号に対応する多様なコンテンツを提供するためには、その多様なコンテンツを１つずつ選択して設定しなければならないという問題があった。
【課題を解決するための手段】
【０００８】
本発明の一つの側面は、本発明による上記従来技術の問題及び不利益の認識である。この認識に基づいて本発明の主要構成は開発された。
本発明の例示的な特徴は、送信側移動通信端末機の電話番号に対応する少なくとも１つのコンテンツが保存されたフォルダを設定することにより、ユーザの利便性を向上できる移動通信端末機の情報管理方法を提供することである。
【０００９】
少なくとも上記特徴の全部又は一部を実施するため、本発明は、移動通信端末機の送信者情報提供方法を提供する。この送信者情報提供方法は、送信側移動通信端末機から呼が受信されたか否かを確認する段階と、受信された呼に基づいて前記送信側移動通信端末機の電話番号に対応する少なくとも１つのコンテンツが保存されたフォルダを検索する段階と、前記検索されたフォルダに保存された少なくとも１つのコンテンツを出力する段階とを含んで構成される。
【００１０】
少なくとも上記特徴の全部又は一部を実施するため、本発明はまた、ユーザの選択によってフォルダに保存されたいずれか１つのコンテンツを出力する移動通信端末機の送信者情報提供方法を提供する。この送信者情報提供方法は、通話ボタン（ＳＥＮＤボタン）が押されたか否かを判断する段階と、前記通話ボタンが押されたときに、前記出力されたコンテンツが保存されたフォルダに対応する電話番号を検索する段階と、前記検索された電話番号に該当する受信側移動通信端末機に呼を送信する段階とを含んで構成される
【００１１】
本発明の他の特徴は、実施形態の記載により説明され、以下の考察を通じて当業者に明らかになるはずであり、また、本発明の実施により理解されるであろう。本発明の特徴は、特に特許請求の範囲に示された発明によって実現され、達成される。
【発明の効果】
【００１２】
本発明に係る移動通信端末機の送信者情報の提供（すなわち、情報管理）方法は、各受信者（又は、ユーザ自身）に対して少なくとも１つのコンテンツが保存された１つ以上のフォルダを設定することによってユーザの利便性を向上できるという効果がある。
【００１３】
例えば、送信側移動通信端末機の電話番号は、後で取得及び処理できるように許容するために（すなわち、視覚的、聴覚的、及び／又は触覚的出力を提供するために）リンクした情報（例えば、データ、イメージ、ビデオ、オーディオ、テキスト、及び他の多様なマルチメディアデータ）を含むフォルダを有することができる。
【発明を実施するための最良の形態】
【００１４】
本発明を添付図面に基づいて詳細に説明するが、同じ又は同じような要素については同参照番号を付して記載する。
【００１５】
以下、送信側移動通信端末機の電話番号に対応する少なくとも１つのコンテンツが保存されたフォルダ（又は、他の種類のメモリ／保存領域）を設定することによりユーザの利便性を向上できる、本発明に係る移動通信端末機の情報管理方法の好ましい実施形態について添付図面を参照して説明する。
【００１６】
図１は、本発明の第１実施形態に係る移動通信端末機の送信者情報提供方法を示すフローチャートである。
【００１７】
図１に示すように、本発明に係る移動通信端末機の送信者情報提供方法は、送信側移動通信端末機の電話番号（又は、電子メールアドレス、ＶｏＩＰ番号などの他の連絡情報）に対応する少なくとも１つのフォルダを設定する段階（Ｓ１１０）と、前記送信側移動通信端末機から呼が受信されたか否かを確認する段階（Ｓ１２０）と、前記呼が受信されたときに、受信された呼から前記送信側移動通信端末機の電話番号（又は、他の連絡情報）を検出する段階（Ｓ１３０）と、検出された送信側移動通信端末機の電話番号に対応するフォルダ（又は他のメモリ／保存領域）を検索する段階（Ｓ１４０）と、検索されたフォルダに保存される少なくとも１つのコンテンツを出力する段階（Ｓ１５０）と、を含む。
【００１８】
前記少なくとも１つのフォルダには、イメージファイル、サウンドファイル及びメッセージファイルの全てを保存するフォルダ、イメージファイルを保存するフォルダ、サウンドファイルを保存するフォルダ、メッセージファイルを保存するフォルダなどが含まれる。また、イメージファイルには、静止画像ファイルや動画像ファイルなどが含まれ、メッセージファイルには、ＳＭＳ（Short Message Service）メッセージ、ＬＭＳ（Long Message Service）メッセージ又はＭＭＳ（Multimedia Message Service）メッセージなどが含まれる。
【００１９】
以下、このような本発明の第１実施形態に係る移動通信端末機の送信者情報提供方法をより詳細に説明する。
【００２０】
まず、受信側移動通信端末機は、送信側移動通信端末機の電話番号に対応する少なくとも１つのフォルダを設定する（Ｓ１１０）。すなわち、受信側移動通信端末機は、イメージファイル、サウンドファイル、メッセージファイルを全て保存するフォルダ、イメージファイルを保存するフォルダ、サウンドファイルを保存するフォルダ、メッセージファイルを保存するフォルダなどを、送信側移動通信端末機の電話番号に対応するように設定する。
【００２１】
受信側移動通信端末機は、前記送信側移動通信端末機から呼（又は、他の送信）が受信されたか否かを確認する（Ｓ１２０）。すなわち、受信側移動通信端末機は、送信側移動通信端末機から呼が受信されたときに、この受信された呼から送信側移動通信端末機の電話番号を検出し（Ｓ１３０）、検出された送信側移動通信端末機の電話番号に対応するフォルダを検索する（Ｓ１４０）。
【００２２】
送信側移動通信端末機の電話番号に対応するフォルダがある場合には、受信側移動通信端末機は、検索されたフォルダに保存される少なくとも１つのコンテンツを出力する。一方、送信側移動通信端末機の電話番号に対応するフォルダがない場合には、受信側移動通信端末機は、予め設定されたフォルダに保存される少なくとも１つのコンテンツを出力する（Ｓ１５０）。
【００２３】
ここで、受信側移動通信端末機は、フォルダに保存されるサウンドファイルのいずれかをランダムに選択し、この選択されたサウンドファイルを再生することにより、同一の送信側移動通信端末機の電話番号に対応するサウンドファイルを多様に再生できる。
【００２４】
また、受信側移動通信端末機は、フォルダに保存されるイメージファイルのいずれかをランダムに又は順番（例えば、名前順、サイズ順、日付順）にディスプレイ部に表示できる。
【００２５】
このように、少なくとも１つのコンテンツが保存されたフォルダが送信側移動通信端末機の電話番号に対応するように設定され、ユーザはその電話番号に対応するイメージファイル及び／又はサウンドファイルを視聴することができる。
【００２６】
以下、本発明の第２実施形態による移動通信端末機の情報管理方法について図２を参照して説明する。図２は、本発明の第２実施形態に係る移動通信端末機の送信者情報提供（管理）方法を示すフローチャートである。
【００２７】
図２に示すように、本発明の第２実施形態に係る移動通信端末機の送信者情報提供方法は、ユーザの選択によってフォルダに保存されたいずれか１つのコンテンツを出力する移動通信端末機の送信者情報提供方法であって、通話ボタン（又は、呼やデータ送信を設定する他の手段）が押されたか（アクティブ化されたか）否かを判断する段階（Ｓ２１０）と、前記通話ボタンが押されると、前記出力されたコンテンツが保存されるフォルダに対応する電話番号を検索する段階（Ｓ２２０）と、検索された電話番号に対応する受信側移動通信端末機に呼を送信する段階（Ｓ２３０）と、を含む。
【００２８】
以下、このような本発明の第２実施形態に係る移動通信端末機の情報管理（例えば、送信者情報の提供）方法をより詳細に説明する。
【００２９】
まず、送信側移動通信端末機は、ユーザの選択によってフォルダに保存された少なくとも１つのコンテンツを出力する。例えば、送信側移動通信端末機は、イメージファイルをディスプレイ部に表示し、又はサウンドファイルの再生やメッセージの表示をすることができる。
【００３０】
送信側移動通信端末機は、通話ボタンが押されたか否か（又は他のデータ送信手段がアクティブ化されたか）を判断する（Ｓ２１０）。通話ボタンが押された場合には、送信側移動通信端末機は、ユーザが前記出力されたコンテンツの保存されるフォルダに対応する受信側移動通信端末機のユーザとの通話を希望すると判断し、前記出力されたコンテンツの保存されるフォルダに対応する電話番号を検索する（Ｓ２２０）。
【００３１】
次に、送信側移動通信端末機は、検索された電話番号に該当する受信側移動通信端末機に呼を送信する（Ｓ２３０）。
【００３２】
図３は、本発明の実施形態に係る例示的なユーザインタフェース画面を示す。
【００３３】
様々な種類のコンテンツを保存し、連絡先リスト（例えば、電話帳、アドレス帳など）の各人にリンクさせることができる。選択可能なオプション又はメニュー項目をユーザに表示することができる。
【００３４】
ユーザインタフェース画面は、連絡先リストに保存された１つ以上の項目を表示する第１表示領域と、連絡先リストの特定項目にリンクされた１つ以上のデジタルファイルを表示する第２表示領域と、さらなる情報管理を許容するユーザが選択可能なオプション又は機能を表示する第３表示領域と、ポップアップウィンドウの形でユーザが選択可能なメニュー又はリストを表示する第４表示領域とに分割されることができる。
【００３５】
連絡先リストの各人は少なくとも１つのフォルダ（又は、他の保存領域）を有し、異なる種類のデータの保存、例えば、イメージデータ（イメージファイル、ビデオファイルなど）、テキストデータ（メッセージ、メモ、ＳＭＳなど）、オーディオデータ（ＭＰ３ファイル、着信音など）等の保存が可能である。また、各フォルダは複数のサブフォルダ又は他の保存領域を含むことができる。
【００３６】
図４は、本発明の実施形態に係る例示的なユーザインタフェース画面を示す。
【００３７】
移動通信端末機のユーザは、保存されて連絡先リストの各人にリンクされた様々な種類のコンテンツの中からいずれかのファイルを選択して視聴することができる。例えば、約束通知などのメモを見ることができる。図に示すように、このようなメモは、該当する人のイメージ又は写真に重なる方式で画面に表示できる。
【００３８】
図５は、本発明の実施形態に係る例示的なユーザインタフェース画面を示す。
【００３９】
特定の人に関連するコンテンツファイルを視聴している間に、ユーザはその人に電話をかけるか、メッセージを送るか、又は他の方法で連絡するかを決定することができる。このために、ユーザは（送信又はメッセージ機能などの）適切な機能を選択し又はアクティブ化することができる。このような選択又はアクティブ化によって、ユーザインタフェースは呼の送信（発呼）又はメッセージ送信を行うための適切な画面に切り替えられる。
【００４０】
図６は、本発明の実施形態に係る例示的なユーザインタフェース画面を示す。
【００４１】
呼受信者に関連し、その呼受信者のためのフォルダに保存されたイメージファイルは、呼（又は、他の通信）の接続している間、任意の方式（例えば、スライドショー方式）で表示される。また、テレビ電話（例えば、テレビ会議）時には、ユーザのリアルタイムイメージ（又は、動画像）及び呼受信者のリアルタイムイメージ（又は、動画像）が共に表示される。
【００４２】
図７は、本発明の実施形態に係る例示的なユーザインタフェース画面を示す。
【００４３】
様々な種類のコンテンツ（例えば、イメージ、ビデオ、テキスト、メモ、グラフィック、アニメーション、音楽ファイル、サウンド、着信音など）は、各呼受信者又はユーザ自身のために提供されるフォルダ（又は、他の保存領域）に保存できる。例えば、ユーザは４つのフォルダ（例えば、母、ガールフレンド、友人、私の情報）を設定し、各フォルダがそれぞれに関連するファイルを含むことができる。連絡先リストの各項目（電話帳、アドレス帳など）はリンクされたフォルダを有し、その各項目に関連するファイルを保存する。また、ユーザ自身も自分の個人情報を含むフォルダを有することができる。
【００４４】
以下、本発明の様々な特徴を要約する。
【００４５】
本発明は、移動通信端末機の情報管理方法を提供する。この情報管理方法は、送信側移動通信端末機からの通信が受信されたか否かを確認する段階と、前記送信側移動通信端末機の電話番号に関連する様々な種類のデータコンテンツを含むフォルダ又は保存領域を検索する段階と、前記検索されたフォルダ又は保存領域に保存された少なくとも１つのコンテンツを出力する段階と、を含んで構成される。
【００４６】
ここで、前記通信は、送信者からデータ又は呼を受信したときに発生するイベントであり得る。また、前記通信は受信呼（着呼）又は他の種類のデータ転送であり得る。前記フォルダを検索する段階は、前記受信された呼から前記送信側移動通信端末機の電話番号を検出する段階と、検出された送信側移動通信端末機の電話番号に対応するフォルダを検索する段階とを含むことができる。前記フォルダは、イメージファイル、ビデオファイル、サウンドファイル及びメッセージのうちの少なくとも１つを保存できる。前記コンテンツを出力する段階は、マルチメディアデータを順番に又はランダムに提供する段階をさらに含むことができる。
【００４７】
また、本発明は、ユーザの選択によってフォルダに保存されたいずれか１つのコンテンツを出力する移動通信端末機の情報管理方法を提供する。この情報管理方法は、通話機能がアクティブ化されたか否かを判断する段階と、複数の種類のデータコンテンツが電話番号に関連付けられて保存されたフォルダに対応する電話番号を検索する段階と、検索された電話番号に該当する受信側移動通信端末機に呼を送信し、検索された電話番号に関連する複数の種類のデータコンテンツを出力する段階と、を含む。
【００４８】
前記フォルダは、イメージファイル、サウンドファイル、及び／又はメッセージに関連する少なくとも１つのコンテンツを含むことができる。
【００４９】
さらに、本発明は、移動通信端末機を提供する。この移動通信端末機は、信号を送受信する送受信器と、ユーザに出力を提供する出力部と、データを保存するメモリと、前記送受信器、前記出力部及び前記メモリと連動し、前記送受信器を介して送信者から受信した通信若しくは呼、又は前記送受信器を介して少なくとも一人の受信者に送信する通信もしくは呼を、前記メモリに予め保存された前記送信者又は前記受信者に関するデータ項目と関連付け、その送信者又は受信者と関連付けられた複数のデータ項目を、前記出力部を介してユーザに出力するプロセッサと、を含んで構成される。
【００５０】
前記関連付けは、前記データ項目を、電話番号又は前記受信した通信若しくは前記送信する通信を特定する他のインジケータにマッピングし、このマッピングにより前記データ項目と前記受信した通信又は前記送信する通信との間に関係を形成することによって行うことができる。前記受信した通信又は前記送信する通信は、音声、テキスト、イメージ、及び／又はマルチメディアデータの転送を含むことができる。前記出力部は、視覚的、聴覚的及び／又は触覚的出力を提供することができる。前記データ項目は、前記メモリ内の１つ以上のフォルダ又は他の保存領域にまとめられて保存され、各フォルダは、１つ以上のサブフォルダ又は他の保存領域を有することができる。
【００５１】
前記出力部は、ユーザインタフェースを提供する。このユーザインタフェースは、少なくとも第１表示領域及び第２表示領域に同時に情報を表示する画面（スクリーン）を含み、前記第１表示領域は連絡先リストに保存された１つ以上の項目を表示し、前記第２表示領域は前記連絡先リストの特定項目にリンクされた１つ以上のデジタルファイルを表示する。前記第１表示領域に表示される少なくとも１つの項目及び／又は前記第２表示領域に表示される少なくとも１つのデジタルファイルはユーザによって選択可能である。前記ユーザインタフェースは、さらなる情報管理を許容するユーザが選択可能なオプション又は機能を表示する第３表示領域を含むことができる。前記ユーザインタフェースは、ポップアップウィンドウの形でユーザが選択可能なメニュー又はリストを表示する第４表示領域を含むことができる。前記ユーザインタフェースは、追加出力部を含むことができる。この追加出力部は、前記連絡先リストの特定項目にリンクされた１つ以上の電子ファイルに関する聴覚的及び／又は触覚的出力を提供できる。
【００５２】
さらにまた、本発明は、移動通信端末機の情報管理方法を提供する。この情報管理方法は、それぞれの専用記憶場所を有する一人又は複数人のための複数のデジタルファイルを保存する段階と、前記保存されたデジタルファイルをそれぞれ対応する連絡先リストに予め保存された人にリンクさせる段階と、特定の人との通信を行おうとしているとき又は行っているときに、前記特定の人に関連してリンクされたデジタルファイルを取得する段階と、を含んで構成される。
【００５３】
前記保存する段階は、移動通信端末機内の内部記憶媒体、又は移動通信端末機に動作可能に接続された外部記憶媒体を利用することができる。前記専用記憶場所はコンテンツフォルダであり、その内部にはサブフォルダが存在し得る。前記リンクさせる段階は、前記複数のデジタルファイルと各呼送信者（発呼者）又は各呼受信（着呼者）との間の関係を設定し、前記保存されたデジタルファイルを取得できるようにマッピングする段階をさらに含むことができる。また、マッピングは、特定の呼送信者（発呼者）又は呼受信者（着呼者）と関連付けるデジタルファイルに識別子を付加することによって行うことができる。前記取得する段階は、前記デジタルファイルを処理して視覚的出力、聴覚的出力、及び触覚的出力の少なくとも１つを提供する段階をさらに含むことができる。さらに、ユーザによって前記呼受信者（着呼者）に関する表示されたイメージが選択され又はアクティブ化されると、その呼受信者（着呼者）への呼接続の設定が可能になる。この呼接続には、少なくとも音声、テキスト、イメージ又はマルチメディアデータの転送が含まれる。
【００５４】
また、通信又は呼を受信すると、複数のデジタル音楽ファイルがランダム再生により再生させることができる。表示する段階は、通信又は呼を受信すると、複数のイメージをスライドショー方式で表示することができる。表示する段階は、少なくとも１つのコンテンツを半透明にして他のコンテンツと重ねて提供することができる。
【００５５】
前記情報管理方法は、呼送信者との音声通話中にその呼送信者に関連するデジタルファイルが受信されると、この受信されたデジタルファイルを前記呼送信者のための専用記憶場所に保存する段階をさらに含むことができる。
【００５６】
本発明は、以下のいずれか１つをさらに含むことができる。
（１）前記取得されたデジタルファイルによって、呼又はデータ通信を受信したときに着信音又は画面グラフィックを出力する段階。
（２）前記取得されたデジタルファイルによって、呼又はデータ通信を行う間、テレビ電話時に使用するプライバシー画像（privacy image）やバックグラウンド画像をスライドショー方式で出力する段階。
（３）前記取得されたデジタルファイルによって、テキスト又はマルチメディアメッセージを受信したときに、前記取得されたデジタルファイルの受信確認音又はバックグラウンドグラフィックを出力する段階。
（４）前記取得されたデジタルファイルによって、ディスプレイ画面がアイドルモードのときに、複数のイメージをスライドショー方式で出力する段階。
（５）コンテンツを見ている間に音声呼通話機能又はデータ転送機能がアクティブ化すると、前記取得されたデジタルファイルに保存された少なくとも１つのコンテンツを転送する段階。
【００５７】
上記実施形態及び効果は、単に例示的なものに過ぎず、本発明を限定するものとして解釈されるべきでない。本明細書において教示される事項は直ちに他の種類の装置に適用することができる。本発明の説明記載は、具体的な実施形態としているが、特許請求の範囲に記載の発明の範囲を制限するものではない。多くの改良、修正並びに変更は当業者にとって明らかであろう。特許請求の範囲において、「ミーンズプラスファンクション」形式は、前述の機能を実現するものとして本明細書に記載された構造、構造上の均等物、さらには同等な構造をもカバーすることを意図している。
【図面の簡単な説明】
【００５８】
【図１】本発明の第１実施形態による移動通信端末機の送信者情報提供方法を示すフローチャートである。
【図２】本発明の第２実施形態による移動通信端末機の送信者情報提供方法を示すフローチャートである。
【図３】選択可能なオプション及びメニュー項目と共に様々な種類の情報を分割された画面の区域に表示する、本発明の例示的なユーザインタフェースを示す図である。
【図４】図３のユーザインタフェース画面から選択された人に関する様々な種類の情報を表示する、本発明の例示的なユーザインタフェースを示す図である。
【図５】図４のユーザインタフェースから送信機能又はメッセージ機能を選択した後の例示的なユーザインタフェースを示す図である。
【図６】ユーザが他のメンバーとテレビ電話を行うときの例示的なユーザインタフェースを示す図である。
【図７】例示的なユーザインタフェース画面とコンテンツが保存されたフォルダとの関係を示す図である。
【図１】
2007129692.tif 000003
【図２】
2007129692.tif 000004
【図３】
2007129692.tif 000005
【図４】
2007129692.tif 000006
【図５】
2007129692.tif 000007
【図６】
2007129692.tif 000008
【図７】
2007129692.tif 000009
【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
送信側移動通信端末機から通信が受信されたか否かを確認する段階と、
前記通信が受信されると、前記送信側移動通信端末機の電話番号に対応するフォルダを検索する段階と、
検索された前記フォルダに保存された少なくとも１つのコンテンツを出力する段階と、
を含むことを特徴とする移動通信端末機の情報管理方法。
【請求項２】
前記通信は、受信呼又は他の種類のデータ転送であることを特徴とする請求項１に記載の移動通信端末機の情報管理方法。
【請求項３】
前記フォルダは、イメージファイル、ビデオファイル、サウンドファイル、メッセージのうちの少なくとも１つを保存することを特徴とする請求項２に記載の移動通信端末機の情報管理方法。
【請求項４】
前記出力する段階は、マルチメディアデータを順番に又はランダムに提供する段階を含むことを特徴とする請求項３に記載の移動通信端末機の情報管理方法。
【請求項５】
ユーザの選択によってフォルダに保存されたいずれか１つのコンテンツを出力する移動通信端末機において、
通話ボタンが押されたか否かを判断する段階と、
前記通話ボタンが押されると、前記出力されたコンテンツが保存されたフォルダに対応する電話番号を検索する段階と、
前記検索された電話番号に該当する受信側移動通信端末機に呼を送信する段階と、
を含むことを特徴とする移動通信端末機の情報管理方法。
【請求項６】
前記フォルダは、イメージファイル、サウンドファイル及びメッセージのうちの少なくとも１つに関する１つ以上のコンテンツを含むことを特徴とする請求項５に記載の移動通信端末機の情報管理方法。
【請求項７】
信号を送受信する送受信器と、
ユーザに出力を提供する出力部と、
データを保存するメモリと、
前記送受信器、前記出力部及び前記メモリと連動し、前記送受信器を介して送信者から受信した通信若しくは呼、又は、前記送受信器を介して少なくとも一人の受信者に送信する通信若しくは呼を、前記メモリに予め保存された前記送信者又は前記受信者に関するデータ項目と関連付け、その送信者又は受信者と関連付けられた複数のデータ項目を、前記出力部を介してユーザに出力するプロセッサと、
を含んで構成されることを特徴とする移動通信端末機。
【請求項８】
前記関連付けは、前記データ項目を電話番号又は前記受信した通信若しくは前記送信する通信を特定する他のインジケータにマッピングし、該マッピングにより前記データ項目と前記受信した通信又は前記送信した通信との間の関係を形成することによって行われることを特徴とする請求項７に記載の移動通信端末機。
【請求項９】
前記受信した通信又は前記送信する通信は、音声、テキスト、イメージ及びマルチメディアデータのうちの少なくとも１つの転送を含むことを特徴とする請求項８に記載の移動通信端末機。
【請求項１０】
前記出力部は、視覚的出力、聴覚的出力及び触覚的出力の少なくとも１つを提供することを特徴とする請求項８に記載の移動通信端末機。
【請求項１１】
前記データ項目はメモリ内の１つ以上のフォルダにまとめられて保存され、各フォルダは１つ以上のサブフォルダ又は他の保存場所を含むことを特徴とする請求項８に記載の移動通信端末機。
【請求項１２】
前記出力部は、ユーザインタフェースを提供し、
前記ユーザインタフェースは、少なくとも第１表示領域及び第２表示領域に同時に情報を表示する画面を含み、前記第１表示領域は連絡先リストに保存された１つ以上の項目を表示し、前記第２表示領域は前記連絡先リストの特定項目にリンクされた１つ以上のデジタルファイルを表示することを特徴とする請求項７に記載の移動通信端末機。
【請求項１３】
それぞれの専用記憶場所を有する一人又は複数人のための複数のデジタルファイルを保存する段階と、
前記保存されたデジタルファイルをそれぞれ対応する連絡先リストに予め保存された人にリンクさせる段階と、
特定の人と通信を行おうとしているとき又は行っているときに、前記特定の人に関してリンクされたデジタルファイルを取得する段階と、
を含むことを特徴とする移動通信端末機の情報管理方法。
【請求項１４】
前記保存する段階は、内部記憶媒体又は動作可能に接続された外部記憶媒体を利用することを特徴とする請求項１３に記載の移動通信端末機の情報管理方法。
【請求項１５】
前記専用記憶場所はコンテンツフォルダであり、その内部にはサブフォルダが存在することを特徴とする請求項１３に記載の移動通信端末機の情報管理方法。
【請求項１６】
前記リンクさせる段階は、前記複数のデジタルファイルと各呼送信者又は各呼受信者との間に関係を設定して、前記保存されたデジタルファイルを取得可能にマッピングする段階を含むことを特徴とする請求項１３に記載の移動通信端末機の情報管理方法。
【請求項１７】
前記マッピングは、特定の呼送信者又は呼受信者と関連付けるデジタルファイルに識別子を付加することによって行われることを特徴とする請求項１６に記載の移動通信端末機の情報管理方法。
【請求項１８】
前記取得する段階は、前記デジタルファイルを処理して視覚的出力、聴覚的出力及び触覚的出力の少なくとも１つを提供する段階を含むことを特徴とする請求項１３に記載の移動通信端末機の情報管理方法。
【請求項１９】
ユーザによって前記呼受信者に関する表示されたイメージが選択され又はアクティブ化されると、その呼受信者への呼接続の設定が可能となることを特徴とする請求項１８に記載の移動通信端末機の情報管理方法。
【請求項２０】
前記呼接続は、音声、テキスト、イメージ又はマルチメディアデータの転送を含むことを特徴とする請求項１９に記載の移動通信端末機の情報管理方法。
【手続補正２】
【補正対象書類名】明細書
【補正対象項目名】００５７
【補正方法】変更
【補正の内容】
【００５７】
上記実施形態及び効果は、単に例示的なものに過ぎず、本発明を限定するものとして解釈されるべきでない。本明細書において教示される事項は直ちに他の種類の装置に適用することができる。本発明の説明記載は、具体的な実施形態としているが、特許請求の範囲に記載の発明の範囲を制限するものではない。
【外国語明細書】
2007129692.tif 000010
2007129692.tif 000011
2007129692.tif 000012
2007129692.tif 000013
2007129692.tif 000014
2007129692.tif 000015
2007129692.tif 000016
2007129692.tif 000017
2007129692.tif 000018
2007129692.tif 000019
2007129692.tif 000020
2007129692.tif 000021
2007129692.tif 000022
2007129692.tif 000023
2007129692.tif 000024
2007129692.tif 000025
2007129692.tif 000026
2007129692.tif 000027
2007129692.tif 000028
【図１】
2007129692.tif 000029
【図２】
2007129692.tif 000030
【図３】
2007129692.tif 000031
【図４】
2007129692.tif 000032
【図５】
2007129692.tif 000033
【図６】
2007129692.tif 000034
【図７】
2007129692.tif 000035